(57)【要約】【課題】横方向、垂直、傾斜状の紐や細長い形状の物体上にしっかりとずれることなく固定でき、空間の制限を受けることなく、物品を掛けて便利に使用できる、両側フックを提供すること。【解決手段】位置決めフック部２１とフック部２２とでフック体２を構成し、フック体２の上端の左右に位置決めフック部２１が設置され、フック体２の下端の左右にフック部２２が設置されるか、或いは、下端に単一のフック部が設置され、紐または細長い形状の物体に吊り下げるとき、位置決めフック部２１とフック部２２が紐または細長い形状の物体の太さに応じて互換的に使用される。【選択図】図２
2018521723.tif 000002
【特許請求の範囲】
【請求項１】
位置決めフック部とフック部とでフック体を構成し、前記フック体の上端の左右に前記位置決めフック部が設置され、前記フック体の下端の左右に前記フック部が設置され、紐または細長い形状の物体に吊り下げるとき、前記位置決めフック部と前記フック部が紐または細長い形状の物体の太さに応じて互換的に使用されることを特徴とする、両側フック。
【請求項２】
位置決めフック部とフック部とでフック体を構成し、前記フック体の上端の左右に前記位置決めフック部が設置され、前記フック体の下端に単一の前記フック部が設置され、前記位置決めフック部と前記フック部が紐の太さに基づいて互換的に使用されることを特徴とする、両側フック。
【請求項３】
前記フック体の前記位置決めフック部及び前記フック部の端部の少なくとも１つに、紐またはラインが前記フック体の端部から滑落しないよう保持するストッパー部が設けられたことを特徴とする、請求項１または２に記載の両側フック。
【請求項４】
前記フック体が中央から下に向かって両側に拡張され、フック部を三角形として接合してハンガー部を形成し、前記フック体をハンガーとして使用可能であることを特徴とする、請求項２に記載の両側フック。
【発明の詳細な説明】
【技術分野】
【０００１】
本発明は、横方向、垂直または傾斜状の紐に適用可能で、いつでもどこでも物品を掛けて便利に使用することができる、両側フックに関する。
【背景技術】
【０００２】
従来、図１に示すようなＳ字フック１がある。
このＳ字フック１は、上下に相反する側へ開口した掛止部１１が設置されており、これらの異なる開口の掛止部１１を利用して物品を掛けることができる。
Ｓ字フック１は、例えば洗濯物干し、キャンプ、広告懸垂幕等、非常に幅広く使用されているが、Ｓ字フック１を紐１２に掛けたとき、Ｓ字フック１には着力点がないため、紐１２上で任意に摺動し、紐１２そのものが一端に傾斜していると、Ｓ字フック１全体が傾斜している端に偏ってしまい、Ｓ字フック１を一定点上に固定することができず、使用上面倒である。
【０００３】
また、Ｓ字フック１の欠点を改善するために、市場ではクリップ１３が販売されている。図１に示すように、このクリップ１３はばねの弾性を利用して両側の保持片１３１を中央に向かって付勢し、衣類や物品を挟持するものであるため、クリップ１３は紐１２の定点上に固定することができる。
しかし、使用時はまず保持片１３１を外側に開かせた後、衣類または物品を保持片１３１の中央に挟む必要があるため、手間と時間がかかり、かつ挟まれた衣類または物品に回復が困難な挟み跡が付き、衣類または物品が損傷を受けてしまう。
加えてクリップ１３は通常プラスチック材質であり、長い間使用していると、ばねが脱落したり、保持片１３１が脆くなって断裂しやすくなったりするため、使用寿命が比較的短い。
【０００４】
このために金属（鉄）材質のクリップ１３が市販されているが、脆くなることはないものの、保持片１３１にさびが発生し、挟んだ衣類または物品に影響することがあり、使用上やはり理想的ではない。
金属（鉄）材質のさびの発生を回避するために、ステンレス製のクリップ１３が開発されているが、保持片１３１のさびの発生を防止することはできるものの、ステンレス製のクリップ１３はコストが比較的高く、重量も重いため、あまり経済便益があるとはいえない。
さらに、クリップ１３は紐１２上に位置決めすることはできるが、使用上空間と場所の制限を受けやすく、随意に衣類または物品を挟むことができない。
【発明の概要】
【発明が解決しようとする課題】
【０００５】
本発明が解決しようとする課題は、横方向、垂直、傾斜状の紐や細長い形状の物体上にしっかりとずれることなく固定でき、空間の制限を受けることなく、物品を掛けて便利に使用できる、両側フックを提供することにある。
【課題を解決するための手段】
【０００６】
本発明の両側フックは、位置決めフック部とフック部とでフック体を構成したものであって、前記フック体の上端の左右に前記位置決めフック部が設置され、前記フック体の下端の左右に前記フック部が設置され、紐または細長い形状の物体に吊り下げるとき、前記位置決めフック部と前記フック部が紐または細長い形状の物体の太さに応じて互換的に使用される。
【０００７】
あるいは、位置決めフック部とフック部とでフック体を構成し、前記フック体の上端の左右に前記位置決めフック部が設置され、前記フック体の下端に単一の前記フック部が設置され、前記位置決めフック部と前記フック部が紐の太さに基づいて互換的に使用される。
この場合、前記フック体が中央から下に向かって両側に拡張され、フック部を三角形として接合してハンガー部を形成し、前記フック体をハンガーとして使用可能であってもよい。
【０００８】
前記フック体の前記位置決めフック部及び前記フック部の端部の少なくとも１つに、紐またはラインが前記フック体の端部から滑落しないよう保持するストッパー部が設けられるとよい。
【発明の効果】
【０００９】
使用時は、通常紐をあらかじめ横方向に２つの固定点間に設置する必要があり、本発明によれば、位置決めフック部をそれぞれ紐上に掛けるだけで、位置決めフック部により紐を拘持して固定し、フック体を定点で紐上に位置決めすることができ、紐が一端に向かって傾斜しても、前記フック体は完全に摺動することがなく、使用上非常に簡易かつ便利である。
また、前記フック体は垂直のライン上に位置決めすることもでき、先に紐の任意の一区間を交差させて重ねてループ部を形成し、その後フック体の一方のフック部を上に向け、フック部をループ部内に入れてから、続いてループ部の両端を後方に曲げて両側の位置決めフック部内に挟入させることで、同様にフック体を垂直ライン上に固定することができる。このとき、前記フック体のフック部が上を向いているため、衣類または物品を掛けることができる。
フック体は例えばキャンプ、野営、アウトドア活動、家庭用品を掛けたりするなど、幅広く、柔軟に使用でき、またフック体は体積が小さく、携帯に便利であり、積載性に優れており、さらに使用寿命が長く、製造コストも低いため、全体的な経済便益が非常に高く、理想的な多用途の両側フックとなっている。
【図面の簡単な説明】
【００１０】
【図１】従来のフックの使用状態における斜視図である。
【図２】本発明の実施例を示す両側フックの斜視図である。
【図３】本発明の実施例を示す両側フックの紐への取付途中における斜視図である。
【図４】本発明の別の実施例を示す両側フックの斜視図である。
【図５】本発明の実施例を示す両側フックの紐への取付状態における斜視図である。
【図６】本発明の実施例を示す両側フックの傾斜状紐への取付状態における斜視図である。
【図７】本発明の実施例を示す両側フックの使用状態における斜視図である。
【図８】本発明の実施例を示す両側フックの垂直状紐への取付途中における斜視図である。
【図９】本発明の実施例を示す両側フックの垂直状紐への取付状態における正面図である。
【図１０】本発明の実施例を示す両側フックの別の使用状態における斜視図である。
【図１１】本発明のさらに別の実施例を示す両側フックの斜視図である。
【図１２】本発明のさらに別の実施例を示す両側フックの紐への取付状態における斜視図である。
【図１３】本発明のさらに別の実施例を示す両側フックの斜視図である。
【図１４】本発明のさらに別の実施例を示す両側フックの相互に掛合した状態における斜視図である。
【図１５】本発明の実施例を示すハンガーの正面図である。
【図１６】本発明の実施例を示すハンガーの使用状態における斜視図である。
【発明を実施するための形態】
【００１１】
以下、本発明の実施例を図面に基づいて詳細に説明する。
図２に示す実施例では、両側フックは、主に位置決めフック部２１とフック部２２でフック体２が構成されたものであって、前記フック体２の上端の左右に前記位置決めフック部２１が形成され、フック体２の下端の左右に前記フック部２２が形成される。
また、前記フック体２の位置決めフック部２１及びフック部２２の端部に、それぞれ前後両面へ突出するストッパー部２１０、２２０が設けられる。前記ストッパー部２１０、２２０はフック体２の端部から滑落しないように紐を掛止し、紐がストッパー部２１０、２２０内に保持され、弛まないようにすることで、紐を掛止する効果を達することができる。
このほか、前記フック体２にはその他の装置を設置してもよく、簡単な造形で紐を掛止する効果を達することができさえすればよい。
【００１２】
図３に示すように、紐３を前記フック体２の両側の対称な位置決めフック部２１またはフック部２２にそれぞれ通すことで、位置決めフック部２１またはフック部２２を利用して紐３を拘持し、フック体２を紐３の定点上に固定し（図５参照）、任意に摺動しないようにすることができる。
また図４に示すように、両側の位置決めフック部２１の端部において、外壁面２１１の対応する位置に凹溝２１２を設け、紐３を凹溝２１２内に配置して（図示しない）、紐３がよりしっかりとフック体２上に固定されるようにしてもよい。
前記位置決めフック部２１とフック部２２は、同じ大きさであってもよいが、異なる大きさに設計することができるため、紐３または細長い形状の物体の太さの違いに応じて互換的に使用でき、使用者が適した大きさの位置決めフック部２１またはフック部２２を選択してフック体２を位置決めすることができ、使用上非常に簡易かつ便利である。
【００１３】
使用時、前記紐３は通常あらかじめ横方向に２つの固定点間に設置する必要があり、図３及び図５に示すように、先に紐３を一方の位置決めフック部２１に通してから、他方の位置決めフック部２１を紐３の後方に回り込ませ、紐３をフック部２２の後方に拘持し、フック体２と紐３を相互に拘持させてフック体２を紐３上に位置決めすることができる。
【００１４】
フック体２を紐３上に設置したとき、しっかりと固定され、任意に摺動することがない。前記紐３の設置は、図６に示すように、例えばキャンプ場や物干し場等、環境の制限を受け、紐３を水平に設置できないことがあり、紐３の傾斜が生じやすい。このとき、フック体２の位置決めフック部２１の拘持力を利用すれば、紐３の定点上にしっかりと固定することができる（図７参照）。前記紐３が傾斜状でも、フック体２は位置決めフック部２１を利用して両端を直接紐３上に拘持させることができ、また反対にしてフック部２２で紐３を拘持してもよい。このとき、前記フック体２は物品の下方向への重力に伴い、左右両端の位置決めフック部２１またはフック部２２による拘持がより緊密になり、フック体２を紐３の定点にしっかりと固定でき、紐３の傾斜によって摺動を生じることがなく、使用上非常に理想的である。
【００１５】
フック体２を垂直ライン４に運用する場合、図８に示すように、前記垂直ライン４は通常フックやクリップを設置することはできず、これは主に一般的なフックには着力点が不足しており、加えて重量がより重いためである。市場には垂直ライン４に設置するためのフックはないが、本発明は水平のライン上にしっかりと位置決めできるだけでなく、垂直ライン４上に設置することもできる。
まず垂直ライン４の任意の一区間を取り、それを交差させて重ねてループ部４０を形成した後、フック体２のいずれか一方のフック部２２を上に向けて、両フック部２２をループ部４０内に入れ、続いて図９に示すように、ループ部４０の両端をそれぞれ前に曲げて両側の位置決めフック部２１内に入れれば、ループ部４０の交差によって上下の引っ張り力が生じ、フック体２を垂直ライン４上に位置決めすることができ、さらに両側の位置決めフック部２１の拘持を利用して、垂直ライン４上で移動しないようにフック体２を固定することができる。このとき前記フック体２のフック部２２は上を向いており、バックパック５（図１０参照）、買い物袋、衣類または物品等を掛けることができる。
【００１６】
前記フック体２０は単一のフック部を有することもある。図１１に示すように、フック体２０は２つの位置決めフック部２０１と１つのフック部２０２を備え、前記フック体２０の上端の左右両側に位置決めフック部２０１を設け、フック体２０中央から下にフック部２０２が延伸される。
フック体２０の使用方法は同様に２つの位置決めフック部２０１を紐３上に拘持させる（図１２参照）と、フック体２０を紐３上に位置決めして任意に摺動しないようにすることができ、かつフック体２０下方のフック部２０２を利用して物品を掛けることができる。フック体２０と紐３の安定した固定を強化するために、図１３に示すように、位置決めフック部２０１の外壁面２０１１の対応する位置に凹溝２０１２を形成し、紐３を凹溝２０１２内に配置させ（図示しない）、摺動しにくくすることができる。
【００１７】
図１４に示すように、フック体２の上下端部の中央部には通孔２３が穿設され、掛けられるフックの数量を増加するために、紐３を通孔２３に通し、複数のフック体２を相互に掛けて使用することができる。
かつ下方のフック体２の位置決めフック部２１またはフック部２２を上方のフック体２の通孔２３に挿入し、複数のフック体２を連結することもでき、使用上の柔軟性が高い。また、前記通孔２３にホルダーリングや掛止部材（図示しない）を連結し、キーホルダーとして携帯使用してもよい。
【００１８】
フック体２０の応用については、図１５に示すように、フック体２０の中央から下に向かって両側に拡張し、フック部２０２を三角形として接合してハンガー部２０３（図１６参照）を形成し、フック体２０をハンガーとして使用することができる。
かつ、フック体２０両側の位置決めフック部２０１を利用してフック体２０を紐３（図示しない）上に位置決めすることができ、使用上非常に便利である。
【００１９】
本発明のフック体は、キャンプ、野営、アウトドア活動、家庭用品を掛けたりするなど、使用範囲が幅広く、特に、前記位置決めフック部とフックは紐の太さに応じて互換的に使用でき、使用上非常に柔軟性と利便性が高い。
また、前記フック体は体積が小さく、携帯に便利であり、積載性に優れており（約２００ｋｇ）、さらに使用寿命が長く、製造コストも低いため、全体的な経済便益が非常に高く、水平及び垂直のライン上に運用でき、従来のフックを超越した新規的構造である。
【符号の説明】
【００２０】
１          Ｓ字フック
１１        掛止部
１２        紐
１３        クリップ
１３１      保持片
２          フック体
２０        フック体
２０１      位置決めフック部
２０１１    外壁面
２０１２    凹溝
２０２      フック部
２０３      ハンガー部
２１        位置決めフック部
２１１      外壁面
２１２      凹溝
２１０      ストッパー部
２２        フック部
２２０      ストッパー部
２３        通孔
３          紐
４          垂直ライン
４０        ループ部
５          バックパック
【図１】
2018521723.tif 000003
【図２】
2018521723.tif 000004
【図３】
2018521723.tif 000005
【図４】
2018521723.tif 000006
【図５】
2018521723.tif 000007
【図６】
2018521723.tif 000008
【図７】
2018521723.tif 000009
【図８】
2018521723.tif 000010
【図９】
2018521723.tif 000011
【図１０】
2018521723.tif 000012
【図１１】
2018521723.tif 000013
【図１２】
2018521723.tif 000014
【図１３】
2018521723.tif 000015
【図１４】
2018521723.tif 000016
【図１５】
2018521723.tif 000017
【図１６】
2018521723.tif 000018
【国際調査報告】
2018521723.tif 000019
2018521723.tif 000020
2018521723.tif 000021
2018521723.tif 000022